(57)【要約】【課題】この発明は、信頼性の高い検出基準を与えることができる蛍光基準部材、およびこの蛍光基準部材を備えた蛍光検査装置を提供することを課題とする。【解決手段】蛍光検査装置１は、検査対称となる媒体Ｍを搬送路３を介して矢印Ｔ方向に搬送する搬送ローラ対２、搬送路３の一側に配置された紫外光源４、搬送路３を挟んで紫外光源４に対向して配置された蛍光基準部材９、および搬送路３を搬送される媒体Ｍからの蛍光を受光するとともに媒体Ｍが搬送されていない状態で蛍光基準部材９からの蛍光を受光する読み取りセンサ５を有する。蛍光基準部材９は、励起光が照射される面を有する蛍光発光体、蛍光発光体の上記面以外の表面をカバーするように収容したケース、およびケースの開口、すなわち蛍光発光体の面を露出する開口を塞ぐように設けられたメッシュ板を有する。【選択図】      図１
2007064832.tif 000002
【特許請求の範囲】
【請求項１】
励起光が照射される照射面、および蛍光を発光する発光面を有するとともに、上記照射面を介して照射される上記励起光により励起されて上記蛍光を発光する蛍光物質を含み、この蛍光物質から発光される上記蛍光を上記蛍光面を介して発光させる本体と、
この本体の上記照射面および発光面の少なくとも一方に設けられる光学フィルタと、
を有することを特徴とする蛍光基準部材。
【請求項２】
上記光学フィルタは、上記本体の照射面および発光面の少なくとも一方に、交換可能に取り付けられることを特徴とする請求項１に記載の蛍光基準部材。
【請求項３】
上記光学フィルタが設けられる上記照射面および発光面の少なくとも一方をカバーする透明なカバー部材をさらに有し、上記光学フィルタはこのカバー部材の内側に設けられることを特徴とする請求項１に記載の蛍光基準部材。
【請求項４】
上記カバー部材は、石英ガラスにより形成されていることを特徴とする請求項３に記載の蛍光基準部材。
【請求項５】
上記本体の照射面および発光面は同じ面を構成していることを特徴とする請求項１乃至請求項３のいずれか１項に記載の蛍光基準部材。
【請求項６】
上記光学フィルタは、透過光量を制限するメッシュ板またはＮＤフィルタであることを特徴とする請求項１乃至請求項５のいずれか１項に記載の蛍光基準部材。
【請求項７】
上記光学フィルタは、特定波長域の光を選択的に透過させる帯域制限フィルタであることを特徴とする請求項１乃至請求項５のいずれか１項に記載の蛍光基準部材。
【請求項８】
上記光学フィルタは、透過光量を制限するメッシュ板またはＮＤフィルタと、特定波長域の光を選択的に透過させる帯域制限フィルタと、を重ねて構成されていることを特徴とする請求項１乃至請求項５のいずれか１項に記載の蛍光基準部材。
【請求項９】
検査対称となる媒体に励起光を照射する光源と、
この光源からの励起光が照射される照射面、およびこの照射面を介して照射された上記励起光に基づいて励起発光される蛍光を発光する発光面を有する本体と、この本体の上記照射面および発光面の少なくとも一方に設けられる光学フィルタとを具備した蛍光基準部材と、
上記光源から照射された励起光に基づいて、上記媒体に含まれる蛍光物質から励起発光される第１の蛍光、および上記蛍光基準部材から発光される第２の蛍光を選択的に受光する受光部と、
この受光部で受光した第２の蛍光に基づいて該受光部の出力を補正する補正部と、
この補正部で補正した上記第１の蛍光を検査する検査部と、
を有することを特徴とする蛍光検査装置。
【請求項１０】
検査対称となる媒体に励起光を照射する光源と、
この光源から照射された励起光に基づいて上記媒体に含まれる蛍光物質から励起発光される第１の蛍光を受光する第１受光部と、
上記光源からの励起光が照射される照射面、およびこの照射面を介して照射された上記励起光に基づいて励起発光される第２の蛍光を発光する発光面を有する本体と、この本体の上記照射面および発光面の少なくとも一方に設けられる光学フィルタとを具備した蛍光基準部材と、
この蛍光基準部材の上記発光面を介して発光される上記第２の蛍光を受光する第２受光部と、
この第２受光部で受光した第２の蛍光に基づいて上記第１受光部の出力を補正する補正部と、
この補正部で補正した上記第１の蛍光を検査する検査部と、
を有することを特徴とする蛍光検査装置。
【請求項１１】
検査対称となる媒体に励起光を照射する光源と、
この光源からの励起光が照射される照射面、およびこの照射面を介して照射された上記励起光に基づいて励起発光される蛍光を発光する発光面を有する本体と、この本体の上記照射面および発光面の少なくとも一方に設けられる光学フィルタとを具備した蛍光基準部材と、
上記光源から照射された励起光に基づいて、上記媒体に含まれる蛍光物質から励起発光される第１の蛍光、および上記蛍光基準部材から発光される第２の蛍光を選択的に受光する受光部と、
この受光部で受光した上記第１の蛍光を検査する検査部と、
上記受光部で受光した第２の蛍光に基づいて上記光源の発光量を補正する補正部と、
を有することを特徴とする蛍光検査装置。
【請求項１２】
検査対称となる媒体に励起光を照射する光源と、
この光源から照射された励起光に基づいて上記媒体に含まれる蛍光物質から励起発光される第１の蛍光を受光する第１受光部と、
この第１受光部で受光した上記第１の蛍光を検査する検査部と、
上記光源からの励起光が照射される照射面、およびこの照射面を介して照射された上記励起光に基づいて励起発光される第２の蛍光を発光する発光面を有する本体と、この本体の上記照射面および発光面の少なくとも一方に設けられる光学フィルタとを具備した蛍光基準部材と、
この蛍光基準部材の上記発光面を介して発光される上記第２の蛍光を受光する第２受光部と、
この第２受光部で受光した第２の蛍光に基づいて上記光源の発光量を補正する補正部と、
を有することを特徴とする蛍光検査装置。
【請求項１３】
上記光学フィルタは、上記本体の照射面および発光面の少なくとも一方に、交換可能に取り付けられることを特徴とする請求項９乃至請求項１２のいずれか１項に記載の蛍光基準部材。
【請求項１４】
上記光学フィルタが設けられる上記照射面および発光面の少なくとも一方をカバーする透明なカバー部材をさらに有し、上記光学フィルタはこのカバー部材の内側に設けられることを特徴とする請求項９乃至請求項１２のいずれか１項に記載の蛍光基準部材。
【請求項１５】
上記光学フィルタは、透過光量を制限するメッシュ板またはＮＤフィルタであることを特徴とする請求項９乃至請求項１２のいずれか１項に記載の蛍光基準部材。
【請求項１６】
上記光学フィルタは、特定波長域の光を選択的に透過させる帯域制限フィルタであることを特徴とする請求項９乃至請求項１２のいずれか１項に記載の蛍光基準部材。
【請求項１７】
上記光学フィルタは、透過光量を制限するメッシュ板またはＮＤフィルタと、特定波長域の光を選択的に透過させる帯域制限フィルタと、を重ねて構成されていることを特徴とする請求項９乃至請求項１２のいずれか１項に記載の蛍光基準部材。
【発明の詳細な説明】
【技術分野】
【０００１】
この発明は、例えば検査対称となる蛍光物質を含む媒体に励起光を照射して媒体から発光される蛍光を検出する蛍光検査装置、およびこの蛍光検査装置に組み込まれる蛍光基準部材に関する。
【背景技術】
【０００２】
従来、蛍光検査装置として、搬送路を介して搬送される紙幣に紫外線を照射して紙幣表面から放出される蛍光を検出することで紙幣の真偽を判別する紙幣検査装置が知られている（例えば、特許文献１参照。）。この装置は、搬送路の一側に、発光素子と受光素子を収容配置した蛍光センサを有し、搬送路の他側に、検出基準を与えるための蛍光ガラスを有する。そして、紙幣を検査するとき、紙幣を搬送していない状態で蛍光ガラスの蛍光量を検出し、その検出値に基づいて発光素子の発光量を補正する。
【０００３】
しかし、蛍光センサの受光素子には、波長に応じた感度特性があり、検査対象としての紙幣からの蛍光の波長と蛍光ガラスからの蛍光の波長が大きく異なる場合、ノイズの影響が大きくなり、正確な検出基準を与えることができなくなってしまう。
【０００４】
また、紙幣からの蛍光の発光量と蛍光ガラスからの蛍光の発光量が大きく異なると、発光量の小さい方の検出信号のＳ／Ｎ比が低下する問題が生じる。例えば、発光量の大きい方の出力をＡ／Ｄ変換する際にはＡ／Ｄ変換レンジの上限近くまで使用して変換できるが、発光量の小さい方の出力をＡ／Ｄ変換する際にはＡ／Ｄ変換レンジの一部を使用して変換することになり、Ｓ／Ｎ比が低下してしまう。
【０００５】
このため、同一の光源に対して、紙幣からの蛍光と近似した発光スペクトルおよび発光量を有する蛍光ガラスを使用することが望ましいが、このような発光特性を有する蛍光ガラスを用意することは困難であり、発光特性の近い蛍光ガラスを用意したとしても、発光特性の異なる他の媒体を検査する際には蛍光ガラスを別のものと交換する必要があり、汎用性に欠ける問題がある。
【特許文献１】特開２００４−２６５１０４号公報（要約、図２）
【発明の開示】
【発明が解決しようとする課題】
【０００６】
この発明の目的は、信頼性の高い検出基準を与えることができる蛍光基準部材、およびこの蛍光基準部材を備えた蛍光検査装置を提供することにある。
【課題を解決するための手段】
【０００７】
上記目的を達成するため、本発明の蛍光基準部材は、励起光が照射される照射面、および蛍光を発光する発光面を有するとともに、上記照射面を介して照射される上記励起光により励起されて上記蛍光を発光する蛍光物質を含み、この蛍光物質から発光される上記蛍光を上記蛍光面を介して発光させる本体と、この本体の上記照射面および発光面の少なくとも一方に設けられる光学フィルタと、を有する。
【０００８】
また、本発明の蛍光検査装置は、検査対称となる媒体に励起光を照射する光源と、この光源からの励起光が照射される照射面、およびこの照射面を介して照射された上記励起光に基づいて励起発光される蛍光を発光する発光面を有する本体と、この本体の上記照射面および発光面の少なくとも一方に設けられる光学フィルタとを具備した蛍光基準部材と、上記光源から照射された励起光に基づいて、上記媒体に含まれる蛍光物質から励起発光される第１の蛍光、および上記蛍光基準部材から発光される第２の蛍光を選択的に受光する受光部と、この受光部で受光した第２の蛍光に基づいて該受光部の出力を補正する補正部と、この補正部で補正した上記第１の蛍光を検査する検査部と、を有する。
【０００９】
また、本発明の蛍光検査装置は、検査対称となる媒体に励起光を照射する光源と、この光源から照射された励起光に基づいて上記媒体に含まれる蛍光物質から励起発光される第１の蛍光を受光する第１受光部と、上記光源からの励起光が照射される照射面、およびこの照射面を介して照射された上記励起光に基づいて励起発光される第２の蛍光を発光する発光面を有する本体と、この本体の上記照射面および発光面の少なくとも一方に設けられる光学フィルタとを具備した蛍光基準部材と、この蛍光基準部材の上記発光面を介して発光される上記第２の蛍光を受光する第２受光部と、この第２受光部で受光した第２の蛍光に基づいて上記第１受光部の出力を補正する補正部と、この補正部で補正した上記第１の蛍光を検査する検査部と、を有する。
【００１０】
また、本発明の蛍光検査装置は、検査対称となる媒体に励起光を照射する光源と、この光源からの励起光が照射される照射面、およびこの照射面を介して照射された上記励起光に基づいて励起発光される蛍光を発光する発光面を有する本体と、この本体の上記照射面および発光面の少なくとも一方に設けられる光学フィルタとを具備した蛍光基準部材と、上記光源から照射された励起光に基づいて、上記媒体に含まれる蛍光物質から励起発光される第１の蛍光、および上記蛍光基準部材から発光される第２の蛍光を選択的に受光する受光部と、この受光部で受光した上記第１の蛍光を検査する検査部と、上記受光部で受光した第２の蛍光に基づいて上記光源の発光量を補正する補正部と、を有する。
【００１１】
さらに、本発明の蛍光検査装置は、検査対称となる媒体に励起光を照射する光源と、この光源から照射された励起光に基づいて上記媒体に含まれる蛍光物質から励起発光される第１の蛍光を受光する第１受光部と、この第１受光部で受光した上記第１の蛍光を検査する検査部と、上記光源からの励起光が照射される照射面、およびこの照射面を介して照射された上記励起光に基づいて励起発光される第２の蛍光を発光する発光面を有する本体と、この本体の上記照射面および発光面の少なくとも一方に設けられる光学フィルタとを具備した蛍光基準部材と、この蛍光基準部材の上記発光面を介して発光される上記第２の蛍光を受光する第２受光部と、この第２受光部で受光した第２の蛍光に基づいて上記光源の発光量を補正する補正部と、を有する。
【００１２】
上記発明によると、励起光が照射される蛍光基準部材の照射面および蛍光を発光する発光面の少なくとも一方に光学フィルタを設けたため、発光面を介して発光される蛍光の発光スペクトルや発光量などの光学特性を所望する特性に近づけることができ、検査対象となる媒体から発光される蛍光の発光特性に近似させることができる。
【発明の効果】
【００１３】
この発明によれば、信頼性の高い検出基準を与えることができる蛍光基準部材、およびこの蛍光基準部材を備えた蛍光検査装置を提供することができる。
【発明を実施するための最良の形態】
【００１４】
以下、図面を参照しながらこの発明の実施の形態について詳細に説明する。  
図１には、この発明の第１の実施の形態に係る蛍光検査装置１の要部の構成を概略的に示してある。また、図２にはこの蛍光検査装置１の平面図を示してあり、図３にはこの蛍光検査装置１を媒体Ｍの搬送方向（図中矢印Ｔ方向）下流側から見た側面図を示してある。
【００１５】
蛍光検査装置１は、検査対称となる媒体Ｍを図中矢印Ｔ方向に搬送する複数組の搬送ローラ対２を有する。例えば、媒体Ｍが紙幣である場合、紙幣に印刷されるインクに検出対称となる蛍光物質が含まれており、蛍光検査装置１は、この蛍光物質に紫外光を照射して蛍光物質から励起発光される蛍光を検出して紙幣の真偽を判別する。蛍光物質は、特定の波長帯域を有する紫外光によって励起され、特定の波長帯域を有する蛍光を発光する特性を有する。
【００１６】
複数組の搬送ローラ対２によって規定される搬送路３の一側（図１で手前側）には、搬送路３に沿って搬送される媒体Ｍに紫外光（励起光）を照射するための２つの紫外光源４（光源）が搬送方向Ｔに沿って併設されている。紫外光源４として、媒体Ｍの全面を照明可能なように、媒体Ｍの搬送方向Ｔと交差する方向に延びた管軸を有する細長いブラックライトやＵＶランプなどが用いられる。
【００１７】
搬送路３に対して紫外光源４と同じ側には、紫外光の照射によって媒体Ｍに含まれる蛍光物質から励起発光された蛍光（第１の蛍光）を受光するための読み取りセンサ５（受光部、第１受光部）が設けられている。また、搬送路３を挟んで読み取りセンサ５に対向する位置には、検出基準を与えるための後に詳述する蛍光基準部材９が設けられている。蛍光基準部材９は、媒体Ｍの搬送方向と略直交する方向に延設されている。
【００１８】
しかして、媒体Ｍが搬送路３を介して搬送されると、紫外光源４からの紫外光が媒体Ｍに照射され、媒体Ｍに含まれる蛍光物質が励起されて蛍光が発光される。そして、この蛍光が読み取りセンサ５を介して検出される。また、搬送路３を介して媒体Ｍが搬送されていない状態で、紫外光源４からの紫外光が蛍光基準部材９に照射され、紫外光によって蛍光基準部材９の本体６（後述する）に含まれる蛍光物質が励起され、その蛍光（第２の蛍光）が図示しないレンズ等の光学系を介して読み取りセンサ５に集光されるようになっている。つまり、本実施の形態の読み取りセンサ５は、この発明の第２受光部としても機能する。
【００１９】
図４に示すように、本実施の形態の蛍光基準部材９は、矩形ブロック状の蛍光発光体６（本体）、この蛍光発光体６の面６ａ以外の全ての面をカバーするように該蛍光発光体６を収容した矩形箱状のケース８、およびこのケース８の開口、すなわち蛍光発光体６の面６ａを露出した開口を塞ぐように脱着可能に設けられたメッシュ板７を有する。この蛍光基準部材９は、蛍光発光体６の面６ａ、すなわちメッシュ板７が搬送路３に対向する姿勢で取り付けられる。
【００２０】
蛍光発光体６は、例えば、蛍光物質を均一に分散した蛍光ガラスによって形成され、面６ａを介して紫外光源４からの紫外光が照射され、この紫外光によって蛍光物質が励起され、蛍光物質からの蛍光が面６ａを介して発光されるようになっている。つまり、本実施の形態において、蛍光発光体６の面６ａは、本発明の照射面として機能するとともに発光面として機能する。蛍光ガラスとして、例えば、（株）住田光学ガラス製のルミラス（商品名）が知られている。
【００２１】
ケース８は、例えば鉄などの不透明な金属材料を加工して形成されており、蛍光発光体６の面６ａ以外から光が入ることを防止している。メッシュ板７は、ケース８の開口と略同じサイズを有し、その全面に多数の孔（図示せず）が均一に形成されている。メッシュ板７の孔の形状はいかなる形状であっても良いが、透過光量を所望する値に制限することができる数およびサイズに設定される。つまり、このメッシュ板７は、本発明の光学フィルタとして機能し、透過光量を制限する機能を有する。この他に、透過光量を制限可能な光学フィルタとして、ＮＤ（Neutral Density）フィルタがある。
【００２２】
このように、蛍光発光体６の面６ａをカバーするようにメッシュ板７を設けることで、紫外光源４から蛍光基準部材９に照射される紫外光の透過光量が制限され、且つ蛍光発光体６から読み取りセンサ５に向けて発光される蛍光の透過光量が制限される。つまり、本実施の形態の蛍光基準部材９のように、紫外光の照射面と蛍光の発光面が同一の面（６ａ）である場合、１つの光学フィルタで２度透過光量の制限を受けることになる。よって、本実施の形態の蛍光基準部材９によると、メッシュ板７の孔の数およびサイズ、すなわち開口率を調整することで、透過光量を任意に変更でき、読み取りセンサ５に集光される蛍光基準部材９からの蛍光の量を媒体Ｍからの蛍光の量と略等しくできる。
【００２３】
図５には、上述した蛍光検査装置１による処理動作を制御するための制御系のブロック図を示してある。  
蛍光検査装置１の制御系は、媒体Ｍ（検査対象物）からの第１の蛍光を受光するとともに蛍光基準部材９からの第２の蛍光を受光する読み取りセンサ５、これら受光した蛍光に基づいて読み取りセンサ５から出力されるセンサ信号を増幅するアンプ１１、上記第２の蛍光に基づくセンサ信号に基づいて上記第１の蛍光に基づくセンサ信号の増幅率を変更して補正するゲイン可変アンプ１２（補正部）、補正された第１の蛍光に基づくセンサ信号をＡ／Ｄ変換するＡ／Ｄ変換器１３、およびＡ／Ｄ変換されたセンサ信号を判定基準メモリ１４に予め用意された判定基準に照合して検査し、当該媒体Ｍの真偽を判定する判定処理回路１０（検査部）を有する。
【００２４】
上記構成によると、蛍光基準部材９からの第２の蛍光に基づくセンサ信号に基づいて、読み取りセンサ５の出力、すなわち媒体Ｍからの第１の蛍光に基づくセンサ信号を補正するようにしたため、紫外光源４の経時的な劣化に基づくセンサ出力の変動を正確に補正できる。つまり、本実施の形態の蛍光基準部材９を用いることで、紫外光源４から蛍光基準部材９に照射される紫外光に基づく蛍光の量を、紫外光源４から媒体Ｍに照射される紫外光に基づく蛍光の量と略同じにすることができ、両者のセンサ信号を比較する際のノイズ成分を少なくでき、信頼性の高い検出基準を与えることができる。
【００２５】
なお、上述した第１の実施の形態では、蛍光基準部材９を用いて信頼性の高い検出基準を与えてセンサ出力を補正する場合について説明したが、例えば、図６に示すように、読み取りセンサ５のセンサ信号を増幅するアンプ１１の出力側に発光量補正回路１８を接続して、センサ信号を補正基準メモリ１９に予め用意した補正基準に照合し、紫外光源４の発光量を補正することもできる。
【００２６】
以上のように、本実施の形態によると、蛍光発光体６の面６ａにメッシュ板７を設けた蛍光基準部材９を用いたため、読み取りセンサ５で検出する媒体Ｍからの蛍光の量と蛍光基準部材９からの蛍光の量を略等しくでき、検出信号のＳ／Ｎ比を高めることができ、信頼性の高い検出基準を与えることができる。特に、光学フィルタとして、上述したメッシュ板７やＮＤフィルタを用いることで高価なフィルタを用いることなく高い効果を期待できる。また、蛍光発光体６の面６ａにスリット状の開口を設ける方法と比較して、面６ａ全面に亘って孔が配置されるメッシュ板７を用いることで、比較的広い検出範囲を提供でき、蛍光基準部材９の部分的な汚れや損傷に対して有利となる。
【００２７】
また、本実施の形態の蛍光基準部材９によると、メッシュ板７をケース８に対して脱着可能に取り付けできるため、検査対象となる媒体Ｍに含まれる蛍光物質の特性に合った開口率を有するメッシュ板を交換可能に取り付けでき、媒体Ｍの種類によらず蛍光発光体６を兼用できる。言い換えると、媒体Ｍの種類に応じてメッシュ板７を交換するだけで蛍光基準部材９を兼用でき、汎用性を高めることができる。
【００２８】
次に、図７および図８を参照して、上述した蛍光基準部材９の変形例について説明する。なお、ここでは、上述した蛍光基準部材９と同様に機能する構成要素については同一符号を付してその詳細な説明を省略する。
【００２９】
図７に示すように、この蛍光基準部材１５は、上述したメッシュ板７の代わりにケース８の開口を塞ぐ透明な蓋体１６（カバー部材）を有し、この蓋体１６の内側（蛍光発光体６の面６ａに対向する側）に、特定波長域の光だけを選択的に透過させることのできる帯域制限フィルタ１７（光学フィルタ）を有する。つまり、この変形例に係る蛍光基準部材１５は、特定波長帯域の光だけを選択的に透過させることで、読み取りセンサ５に集光される蛍光の波長を媒体Ｍからの蛍光の波長と近似させることに特徴を有する。
【００３０】
蓋体１６は、透明なガラス板などにより形成され、好ましくは、石英ガラスによって形成される。蓋体１６を石英ガラスによって形成することで、紫外領域の光、すなわち短波長帯域の光の透過特性を安定に確保でき、同時に耐摩耗性も向上できる。また、このような蓋体１６の内側に帯域制限フィルタ１７を設けることで、フィルタに汚れが付くことを防止でき、フィルタ面の損傷も防止できる。
【００３１】
帯域制限フィルタ１７は、ＴｉＯ２、Ａｌ、Ａｇ、ＳｉＯ２などの金属、或いはイオンを蓋体１６の内側に蒸着して形成される。帯域制限フィルタ１７の種類を変えることで、透過可能な波長帯域を任意に変更できる。つまり、検査対象となる媒体Ｍの種類に応じて帯域制限フィルタ１７（実際には蓋体１６ごと）を交換することで、蛍光基準部材１５の汎用性を高めることができる。
【００３２】
図８には、この蛍光基準部材１５に照射される励起光の特性（ａ）とこの蛍光基準部材１５から発光される蛍光の特性（ｂ）をグラフにして示してある。なお、図８には、上述した帯域制限フィルタ１７によって制限される励起光および蛍光の特性（ｃ）を破線で示してあり、実際に蛍光基準板１５から発光される蛍光の発光特性（ｄ）を太線で示してある。
【００３３】
これによると、帯域制限フィルタ１７を設けることで、励起光については殆どの波長帯域の光を透過させている反面、透過光量が半分くらいに制限されていることが分かる。また、蛍光については、帯域制限フィルタ１７を透過することで、特定の波長帯域の光だけが選択的に透過されていることが分かる。つまり、実際にこの蛍光基準部材１５を介して発光される蛍光の発光特性を見てみると、特定の波長帯域の蛍光が発光量を制限されて発光されているのが分かる。
【００３４】
より詳細には、帯域制限フィルタ１７を有する蓋体１６を励起光が通過するときおよび蛍光が通過するとき、一定のエネルギー損失があるものと考えられ、これにより、蛍光の発光量が制限される。一方、蛍光基準部材１５から発光される蛍光の波長帯域は、帯域制限フィルタ１７の特性によって選択され、帯域制限フィルタ１７を適当に選択することで、所望する波長の蛍光を発光させることができる。
【００３５】
以上のように、上述した変形例によると、蛍光の発光波長帯域を任意に変更可能な蛍光基準部材１５を提供でき、媒体Ｍからの蛍光の波長に容易に近似させることができる。これにより、読み取りセンサ５の波長に対する感度特性に依存するノイズの影響を少なくでき、信頼性の高い検出基準を与えることができる。
【００３６】
なお、上述した第１の実施の形態では、蛍光発光体６の面６ａにメッシュ板７（或いはＮＤフィルタ）、或いは帯域制限フィルタ１７を有する蓋体１６を設けた場合について説明したが、メッシュ板７と蓋体１６を重ねて面６ａに対向させて取り付けることもできる。この場合、蛍光の発光量および発光スペクトルを同時に所望する値に調整でき、より信頼性の高い検出基準を与えることができる。
【００３７】
次に、図９乃至図１２を参照して、この発明の第２の実施の形態に係る蛍光検査装置２０について説明する。なお、ここでは、上述した第１の実施の形態の蛍光検査装置１と同様に機能する構成要素については同一符号を付してその詳細な説明を省略する。
【００３８】
図９乃至図１１に示すように、蛍光検査装置２０は、紫外光源４に対して搬送路３の反対側で媒体Ｍの搬送経路から外れた位置（図１１で図中上方に外れた位置）に透過型の蛍光基準部材２１を備えている。また、蛍光検査装置２０は、この蛍光基準部材２１に組み込まれた蛍光発光体６から励起発光された蛍光（第２の蛍光）を受光する、読み取りセンサ５とは別の紫外線モニタ用センサ２２を有する。この紫外線モニタ用センサ２２は、紫外光源４との間に蛍光基準部材２１を挟む位置に配置される。
【００３９】
図１２に示すように、本実施の形態の蛍光基準部材２１は、紫外光源４からの紫外光が照射される照射面６ａおよび紫外光の励起により蛍光を発光する発光面６ｂを互いに対向する関係で有する矩形ブロック状の蛍光ガラス６（本体）、この蛍光ガラス６の照射面６ａおよび発光面６ｂを除く４つの面をカバーするように蛍光ガラス６を収容した矩形筒状のケース２３、このケース２３の開口、すなわち蛍光発光体６の照射面６ａを露出した開口を塞ぐように脱着可能に設けられたメッシュ板７、およびケース２３のもう一方の開口、すなわち蛍光発光体６の発光面６ｂを露出した開口を塞ぐように脱着可能に設けられた蓋体１６を有する。蓋体１６が蛍光発光体６の発光面６ｂに対向する内側には、帯域制限フィルタ１７が蒸着されている。
【００４０】
この蛍光基準部材２１は、紫外光源４に蛍光発光体６の照射面６ａが対向する姿勢で蛍光検査装置２０に取り付けられ、反対側の発光面６ｂに紫外線モニタ用センサ２２が対向するように取り付けられる。しかして、紫外光源４からの紫外光は、搬送路３を介して搬送される媒体Ｍに照射されるとともに搬送路３から外れた位置にある蛍光基準部材２１に照射され、蛍光基準部材２１の蛍光ガラス６から励起発光される蛍光が紫外線モニタ用センサ２２によって受光される。
【００４１】
このようにして紫外線モニタ用センサ２２で受光した第２の蛍光は、センサ信号としてアンプ１６（図１３）に出力され、ここでセンサ出力が増幅されてゲイン可変アンプ１２へ出力される。そして、媒体Ｍからの蛍光に基づくセンサ信号が第１の実施の形態と同様に補正され、Ａ／Ｄ変換器１３を介して判別処理回路１０へ出力され、判定基準に照合して検査される。
【００４２】
以上、第２の実施の形態においても、上述した第１の実施の形態と同様の効果を奏することができる。特に、蛍光の発光量を制限するメッシュ板７を励起光の照射側に設け且つ蛍光の発光側に透過波長を制限する蓋体１６を設けたため、この蛍光基準部材２１から発光される蛍光の発光スペクトルおよび発光量を同時に所望する値に調整でき、より信頼性の高い検出基準を与えることができる。また、第２の実施の形態では、媒体Ｍを搬送中にいつでもセンサ信号を補正でき、より信頼性を高めることができる。さらに、図１４に示すように、紫外線モニタ用センサ２２のセンサ信号を増幅するアンプ１６の出力側に上述した発光量補正回路１８を接続して、センサ信号を補正基準メモリ１９に予め用意した補正基準に照合し、紫外光源４の発光量を補正することもできる。
【００４３】
なお、上述した第２の実施の形態では蛍光発光体６の照射面６ａにメッシュ板７を対向配置し且つ発光面６ｂに蓋体１６を対向配置した場合について説明したが、少なくとも一方の面をカバーするよう光学フィルタを設ければ良く、一方の面に２種類の光学フィルタを重ねて取り付けても良い。
【００４４】
図１５には、この発明の第３の実施の形態に係る蛍光検査装置３０の要部の構成を概略的に示してある。ここでも、上述した第１および第２の実施の形態の蛍光検査装置と同様に機能する構成要素について同一符号を付してその詳細な説明を省略する。
【００４５】
この蛍光検査装置３０は、媒体Ｍの搬送方向Ｔと略直交する方向に延びた細長い蛍光基準部材３２を有し、読み取りセンサとして例えばＣＣＤラインセンサ３４を配置した。蛍光基準部材３２の搬送路３に対向した面３２ａには、上述した２つのタイプの光学フィルタ７、１６（１７）のうち少なくとも一方の光学フィルタを取り付けた。
【００４６】
本実施の形態によると、媒体Ｍの幅方向に沿った蛍光の強度分布を検査する際、媒体Ｍの全幅に亘って信頼性の高い検出基準を与えることができる。
【００４７】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【００４８】
例えば、紙幣に含まれる蛍光物質を検査する場合について説明したが、これに限らず、検査対象となる媒体Ｍはいかなるものであっても良い。また、上述した実施の形態では、励起光として紫外光を用いた場合について説明したが、これに限らず、他の波長帯域を有する光を励起光として用いることも可能である。さらに、上述した実施の形態では、主に蛍光発光体６の照射面６ａおよび発光面６ｂの両方に光学フィルタを取り付けた場合について説明したが、光学フィルタは必ずしも両面に取り付ける必要はなく、少なくとも一方に取り付けることで一定の効果を奏し得る。
【図面の簡単な説明】
【００４９】
【図１】この発明の第１の実施の形態に係る蛍光検査装置の要部の構成を示す概略斜視図。
【図２】図１の蛍光検査装置の平面図。
【図３】図１の蛍光検査装置を媒体の搬送方向下流側から見た側面図。
【図４】図１の蛍光検査装置に組み込まれた蛍光基準部材の概略構造を示す断面図。
【図５】図１の蛍光検査装置の処理動作を制御するための制御系を示すブロック図。
【図６】紫外光源の光量を補正する例を説明するためのブロック図。
【図７】図４の蛍光基準部材の変形例を示す断面図。
【図８】図７の蛍光基準部材を用いた場合における発光特性を説明するためのグラフ。
【図９】この発明の第２の実施の形態に係る蛍光検査装置の要部の構成を示す概略斜視図。
【図１０】図９の蛍光検査装置の平面図。
【図１１】図９の蛍光検査装置を媒体の搬送方向下流側から見た側面図。
【図１２】図９の蛍光検査装置に組み込まれた蛍光基準部材の概略構造を示す断面図。
【図１３】図９の蛍光検査装置の処理動作を制御するための制御系を示すブロック図。
【図１４】紫外光源の光量を補正する例を説明するためのブロック図。
【図１５】この発明の第３の実施の形態に係る蛍光検査装置の要部の構成を示す概略図。
【符号の説明】
【００５０】
１、２０、３０…蛍光検査装置、２…搬送ローラ対、３…搬送路、４…紫外光源、５…読み取りセンサ、６…蛍光発光体、６ａ…照射面、６ｂ…発光面、７…メッシュ板、９、２１…蛍光基準部材、１６…蓋体、１７…帯域制限フィルタ、Ｍ…媒体。
【図１】
2007064832.tif 000003
【図２】
2007064832.tif 000004
【図３】
2007064832.tif 000005
【図４】
2007064832.tif 000006
【図５】
2007064832.tif 000007
【図６】
2007064832.tif 000008
【図７】
2007064832.tif 000009
【図８】
2007064832.tif 000010
【図９】
2007064832.tif 000011
【図１０】
2007064832.tif 000012
【図１１】
2007064832.tif 000013
【図１２】
2007064832.tif 000014
【図１３】
2007064832.tif 000015
【図１４】
2007064832.tif 000016
【図１５】
2007064832.tif 000017